(57)【要約】【課題】ガイド機構の駆動中に動作に異常が発生した場合に、即座に異常を検知することができるガイド機構、レンズ鏡筒及びカメラを提供する。【解決手段】本発明は、メッキ可能な材料（６８）とメッキが付き難い材料（６９）とで二色成型され、前記メッキ可能な材料で製造された部分の表面に金属メッキが施されてなる導通部（６９，６９Ａ，６９Ｂ）を有する案内部（６１）を備える第１の部材（６０）と、前記第１の部材（６０）に対して相対移動し、該相対移動中に前記案内部（６１）に案内される導電性の被案内部（５１）を備える第２の部材（５０）と、を備え、前記相対移動中に、前記第１の部材（６０）又は前記第２の部材（５０）の少なくとも一方に通常の動作時に加わる力と異なる力が加わったときに、前記案内部（６１）の前記導通部（６９，６９Ａ，６９Ｂ）と前記被案内部（５１）との接触状態が変化することを特徴とするガイド機構（５０，６０）である。【選択図】図４
2009282394.tif 000002
【特許請求の範囲】
【請求項１】
メッキ可能な材料とメッキが付き難い材料とで二色成型され、前記メッキ可能な材料で製造された部分の表面に金属メッキを施してなる導通部を有する案内部を備えた第１の部材と、
前記第１の部材に対して相対移動し、該相対移動中に前記案内部に案内される導電性の被案内部を備えた第２の部材と、を具備し、
前記相対移動中に、前記第１の部材又は前記第２の部材の少なくとも一方に通常の動作時に加わる力と異なる力が加わったときに、前記案内部の前記導通部と前記被案内部との接触状態が変化することを特徴とするガイド機構。
【請求項２】
メッキ可能な材料とメッキが付き難い材料とで二色成型され、前記メッキ可能な材料で製造された部分の表面に金属メッキを施してなる導通部が両面に設けられるとともに、底部の幅が狭い断面台形且つ溝状の案内部を備えた第１の部材と、
前記第１の部材に対して相対移動し、該相対移動中に前記案内部に案内され且つ先端の幅が狭い断面台形状の導電性の被案内部を備えた第２の部材と、を具備することを特徴とするガイド機構。
【請求項３】
請求項１又は２に記載のガイド機構であって、
前記第１の部材において前記導通部が複数設けられ、前記被案内部が前記案内部に案内されている状態において、該複数の導通部と前記被案内部とが接触状態にあり、
前記第１の部材又は前記第２の部材の少なくとも一方に通常の動作時に加わる力と異なる力が加わったときに、該複数の導通部と前記被案内部との間のいずれかが非接触状態となることを特徴とするガイド機構。
【請求項４】
請求項１又は２に記載のガイド機構であって、
前記第１の部材において前記導通部が複数設けられ、前記被案内部が前記案内部に案内されている状態において、該複数の導通部と前記被案内部とが非接触状態にあり、
前記第１の部材又は前記第２の部材の少なくとも一方に通常の動作時に加わる力と異なる力が加わったときに、該複数の導通部と前記被案内部との間のいずれかが接触状態となることを特徴とするガイド機構。
【請求項５】
請求項１〜４のいずれか１項に記載のガイド機構を備えることを特徴とするレンズ鏡筒。
【請求項６】
請求項１〜４のいずれか１項に記載のガイド機構と、
前記第１の部材と前記第２の部材との少なくとも一方に通常の動作時に加わる力と異なる力が加わり、前記被案内部と前記導通部との接触状態の変化を検出したときに、異常対応動作を行う制御部と、備えることを特徴とするカメラ。
【発明の詳細な説明】
【技術分野】
【０００１】
本発明は、互いに相対移動する２部材を有するガイド機構、それを備えたレンズ鏡筒及びカメラに関する。
【背景技術】
【０００２】
例えば、カメラのレンズ鏡筒において、レンズ鏡筒をズーミング又はフォーカシングするために、モータ等の駆動装置が使用される。このようなカメラにおいて、レンズ鏡筒の繰り出し中に、先端が障害物に当たる等してレンズ鏡筒の移動が阻害された場合、モータの駆動を停止するものがある。この際のレンズ鏡筒が正常に移動しているか否かの判断としては、例えばレンズ鏡筒の位置検出を行うフォトインタラプタ（ＰＩ）のパルスカウントが一定時間変化しない場合に、レンズ鏡筒に異常が発生していると判断するものがある（例えば、特許文献１参照）。
【特許文献１】特開平７−４９４４６号公報
【発明の開示】
【発明が解決しようとする課題】
【０００３】
ＰＩのパルスカウントが一定時間変化しない場合にモータを停止させる上記従来技術においても、レンズ鏡筒への負担はかなり軽減されるが、この場合、ＰＩのパルスカウントが変化していないと判断されるタイマアップまでの時間は、モータのトルクが駆動系に加わる。
【０００４】
本発明の課題は、ガイド機構の駆動中に動作に異常が発生した場合、即座に異常を検知することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、メッキ可能な材料（６８）とメッキが付き難い材料（６９）とで二色成型され、前記メッキ可能な材料（６８）で製造された部分の表面に金属メッキを施すことにより形成された導通部（６９，６９Ａ，６９Ｂ，６９’，６９Ａ’，６９Ｂ’）を有する案内部（６１，６１’）を備えた第１の部材（６０，６０’）と、前記第１の部材（６０，６０’）に対して相対移動し、該相対移動中に前記案内部（６１，６１’）に案内される導電性の被案内部（５１，５１’）を備えた第２の部材（５０，５０’）と、を具備し、前記相対移動中に、前記第１の部材（６０，６０’）又は前記第２の部材（５０，５０’）の少なくとも一方に通常の動作時に加わる力と異なる力が加わったときに、前記案内部（６１，６１’）の前記導通部（６９，６９Ａ，６９Ｂ，６９’，６９Ａ’，６９Ｂ’）と前記被案内部（５１，５１’）との接触状態が変化することを特徴とするガイド機構（５０，６０，５０’，６０’）である。
請求項２に記載の発明は、メッキ可能な材料（６８）とメッキが付き難い材料（６９）とで二色成型され、前記メッキ可能な材料（６８）で製造された部分の表面に金属メッキを施してなる導通部（６９，６９Ａ，６９Ｂ，６９’，６９Ａ’，６９Ｂ’）が両面に設けられるとともに、底部の幅が狭い断面台形且つ溝状の案内部（６１，６１’）を備えた第１の部材（６０，６０’）と、前記第１の部材（６０，６０’）に対して相対移動し、該相対移動中に前記案内部（６１，６１’）に案内され且つ先端の幅が狭い断面台形状の導電性の被案内部（５１，５１’）を備えた第２の部材（５０，５０’）と、を具備することを特徴とするガイド機構（５０，６０，５０’，６０’）である。
請求項３に記載の発明は、請求項１又は２に記載のガイド機構（５０，６０）であって、前記第１の部材（６０）において前記導通部（６９Ａ，６９Ｂ）が複数設けられ、前記被案内部（５１）が前記案内部（６１）に案内されている状態において、該複数の導通部（６９Ａ，６９Ｂ）と前記被案内部（５１）とが接触状態にあり、前記第１の部材（６０）又は前記第２の部材（５０）の少なくとも一方に通常の動作時に加わる力と異なる力が加わったときに、該複数の導通部（６９Ａ，６９Ｂ）と前記被案内部（５１）との間のいずれかが非接触状態となることを特徴とするガイド機構（５０，６０）である。
請求項４に記載の発明は、請求項１又は２に記載のガイド機構（５０’，６０’）であって、前記第１の部材（６０’）において前記導通部（６９Ａ’，６９Ｂ’）が複数設けられ、前記被案内部（５１’）が前記案内部（６１’）に案内されている状態において、該複数の導通部（６９Ａ’，６９Ｂ’）と前記被案内部（５１’）とが非接触状態にあり、前記第１の部材（６０’）又は前記第２の部材（５０’）の少なくとも一方に通常の動作時に加わる力と異なる力が加わったときに、該複数の導通部（６９Ａ’，６９Ｂ’）と前記被案内部（５１’）との間のいずれかが接触状態となることを特徴とするガイド機構（５０’，６０’）である。
請求項５に記載の発明は、請求項１〜４のいずれか１項に記載のガイド機構（５０，６０，５０’，６０’）を備えることを特徴とするレンズ鏡筒（１）である。
請求項６に記載の発明は、請求項１〜４のいずれか１項に記載のガイド機構（５０，６０，５０’，６０’）と、前記第１の部材（６０，６０’）と前記第２の部材（５０，５０’）との少なくとも一方に通常の動作時に加わる力と異なる力が加わり、前記被案内部（５１，５１’）と前記導通部（６９，６９Ａ，６９Ｂ，６９’，６９Ａ’，６９Ｂ’）との接触状態の変化を検出したときに、異常対応動作を行う制御部と、備えることを特徴とするカメラ（１００）である。
なお、符号を付して説明した構成は、適宜改良してもよく、また、少なくとも一部を他の構成物に代替してもよい。
【発明の効果】
【０００７】
本発明によれば、ガイド機構の駆動中に動作に異常が発生した場合に、即座に異常を検知することができる。
【発明を実施するための最良の形態】
【０００８】
以下、図面等を参照し、本発明の実施形態として互いに相対移動する第１レンズ群筒とカム筒とを有するガイド機構を備えたレンズ鏡筒について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、通常の撮影位置という）において撮影者から見て左側に向かう方向をＸプラス方向とする。また、通常の撮影位置において上側に向かう方向をＹプラス方向とする。さらに、通常の撮影位置において被写体に向かう方向をＺプラス方向とする。
【０００９】
本実施形態のレンズ鏡筒１は、例えば、レンズ非交換式のデジタルカメラにおける沈胴式のレンズ鏡筒である。図１から図３までの各図は、レンズ鏡筒１の光軸Ａを含む断面におけるＹプラス側断面図であり、図１は、レンズ鏡筒１の沈胴状態（収納状態）を示し、図２及び図３は、それぞれレンズ鏡筒１におけるワイド状態及びテレ状態を示している。
【００１０】
レンズ鏡筒１は、第１レンズ群Ｌ１、第２レンズ群Ｌ２、第３レンズ群Ｌ３、第４レンズ群Ｌ４、ＣＣＤ１０、ＣＣＤ台１２、メイン基板１４、外側カバー２０、固定筒３０、外側直進筒４０、第１レンズ群筒５０、カム筒６０、内側直進筒７０、第２レンズ群筒８０を備える。
【００１１】
第１レンズ群Ｌ１、第２レンズ群Ｌ２、第３レンズ群Ｌ３、第４レンズ群Ｌ４は、４群構成のズームレンズを構成するものであって、光軸Ａ方向に沿って被写体側（Ｚプラス側）から順次配列されている。
【００１２】
ＣＣＤ台１２は、レンズ鏡筒１の光軸Ａ方向像側の端部に設けられた円板状の部材であって、光軸Ａに対して略直交して配置されている。ＣＣＤ台１２の中央部にはＣＣＤ１０が固定されている。また、ＣＣＤ台１２のＹプラス方向の一部分には、開口部１５が設けられている。
【００１３】
メイン基板１４は、ＣＣＤ台１２のＺマイナス側において、その下部がＣＣＤ台１２のＹプラス側と重なるように配置されている。メイン基板１４のＺマイナス側面には、カメラの各種動作を制御するＣＰＵ（図示せず）が配置されている。メイン基板１４のＣＰＵからは、導電性の金属で製造された４本の第１接片１６がＹマイナス方向に延び、折れ曲がってメイン基板１４のＺプラス側において後述する固定筒３０の突出部３３の内面と接触している。
【００１４】
固定筒３０は、外側カバー２０の内径側に配置される筒体であって、ＣＣＤ台１２に対して固定されている。固定筒３０は、導電性プラスチックで成型された第１材料３４（金属メッキ可能）と、絶縁性プラスチックで成型された第２材料３５（金属メッキが付き難い）との二色成型で製造されており、第１材料３４の表面にはメッキが施されて導通部３６が形成されている。第１材料３４としては、導電性プラスチックとして種々のタイプのものが利用できるが、例えばＡＢＳ，ポリカーボネート、ポリアセタールなどの熱可塑性プラスチック、またはフェノール、ポリエステル、エポキシなどの熱硬化性プラスチックの中から適宜選択される。第２材料３５としては、絶縁性プラスチックとして上記と同じものが選択される。例えば、第１材料３４としてメッキ用ＡＢＳ樹脂、第２材料３５としてポリカーボネートが使用され、導通部３６のメッキは金メッキである。
【００１５】
二色成型は、一例を示すと、金型に第２材料３５を注入して固定筒３０のベースとしての筒体部分を成型し、次にその型の一部を交換又は移動して、その交換又は移動によって形成された空間に第１材料３４を注入して行われる。本実施形態で第１材料３４は、固定筒３０の内周面をＺプラス側端部からＺマイナス側端部まで光軸Ａに沿って延びる４本のライン状に形成されている（図１〜３においては１本の断面のみ図示）。この二色成型で製造された部材に対し、化学メッキ処理を行うと、メッキ可能な第１材料３４の表面にのみメッキが施され、固定筒３０のＺマイナス側端部からＺプラス側端部まで光軸Ａに沿って延びる４本のライン状の導通部３６が形成される。
【００１６】
外側直進筒４０は、固定筒３０の内径側に挿入される筒体である。第１レンズ群筒５０は、外側直進筒４０とカム筒６０との間に配置されている。この第１レンズ群筒５０の内周面であってＺマイナス方向の端部には、カムフォロワピン５１が嵌合されている。図４は、カムフォロワピン５１と後述するカム筒６０との係合状態を示した図である。カムフォロアピン５１は、導電材料で製造され、第１レンズ群筒５０に差し込まれる円柱形の差込部５１ａと、第１レンズ群筒５０の内面からカム筒６０側に突き出す突出部５１ｂとを有する。突出部５１ｂは、断面略台形の円錐台形状に形成されている。
【００１７】
カム筒６０は、第１レンズ群筒５０の内径側に挿入される筒体であり、モータ等の駆動装置（図示せず）によって、光軸Ａ回りに回転駆動されて、外側直進筒４０、第１レンズ群筒５０、内側直進筒７０、及び、第２レンズ群筒８０を光軸Ａ方向に駆動するものである。
【００１８】
さらに、カム筒６０の外周面には、前述の第１レンズ群筒５０のカムフォロワピン５１が挿入されるカム溝６１が形成されている。図５はカム筒６０を展開し、カム筒６０に形成されたカム溝６１を示した図である。図示するように、カム溝６１は、Ｚ軸に対して斜めに形成されており、カム溝６１における図中Ｒｅで示す位置が、図１の沈胴状態におけるカムフォロワピン５１の位置であり、図中Ｗで示す位置が、図２のワイド状態におけるカムフォロワピン５１の位置であり、図中Ｔで示す位置が、図３のテレ状態におけるカムフォロワピン５１の位置である。
【００１９】
また、図４に示すようにカム溝６１は、断面台形状の第１溝部６１ａと、その第１溝部６１ａよりも第１レンズ群５０側に設けられるとともに第１溝部６１ａよりも幅の広い第２溝部６１ｂとを有する。また、いずれの溝部６１ａ、６１ｂも深くなるほど幅が狭い。すなわち、カム溝６１は、開口部より内部に行くほど徐々に幅が狭くなり、一回ステップ状に幅が狭くなった後、また徐々に幅が狭くなるように形成されている。このカム筒６０も二色成型品であって、カム筒６０を構成する大部分はメッキが付き難い第２材料６７で製造されているが、第２溝部６１ｂの側面は、メッキ可能な第１材料６８で製造され、その表面にはメッキが施されて導通部６９が形成されている。この第２溝部６１ｂの開口部における対向する縁部６９ａ，６９ｂの間隔は、カムフォロワピン５１がカム溝６１にはめ込まれてカムフォロワピン５１の突出部５１ｂ側面が第１溝部６１ａの側面と接したときに、縁部６９ａ，６９ｂがカムフォロワピン５１の突出部５１ｂの根元の部分と当接する長さになっている。
【００２０】
また、カムフォロワピン５１がカム溝６１にはめ込まれたときに、カムフォロワピン５１と第２溝部６１ｂとの間における縁部６９ａ，６９ｂよりも内側には、隙間６５が存在している。この隙間６５に、例えば二色成型した際に生じるパーティングラインを生じるようにすれば、パーティングラインの、カム溝６１とカムフォロワピン５１との間の接触に対する影響を低減することができる。
【００２１】
メッキが施された導通部６９は、図５に示すようにカム溝６１の外周に沿って、カム溝６１の一方の側と他方の側とに設けられている。この一方の側の導通部６９Ａと他方の導通部６９Ｂとは、カム溝６１の両端で互いに離間しており、電気的に導通していない。この導通部６９Ａと６９ＢのＺプラス側端部は、図１〜図３において点線で示すように、カム筒６０のＺプラス側端面をそれぞれ延び（図１〜図３において１本のみ図示）、その端面を延びる部分には、次に述べる内側直進筒７０のＺプラス側端面に形成された導通部７９ｃに接続するカム筒接片６６（図１〜図３において１本のみ図示）がそれぞれ取り付けられている。
【００２２】
内側直進筒７０は、カム筒６０の内径側に挿入される筒体であって、Ｚ軸に沿って延びる延在部７５と、Ｚプラス側の端部において径方向外側に向かって延びるように形成された円環状のフランジ部７１と、延在部７５の内径側に設けられた第３レンズ群室７４とを備えている。図６は内側直進筒７０の斜視図である。第３レンズ群室７４は、第３レンズ群Ｌ３を固定する円環状の部分である。この第３レンズ群室７４のＹプラス側には、第３レンズ群室７４を光軸Ａ方向に貫通する第１開口部７６が設けられている。
【００２３】
内側直進筒７０も、固定筒３０と同様にメッキ可能な第１材料７７と、メッキが付き難い第２材料７８との二色成型で製造されており、第１材料７７で製造された部分の表面にはメッキが施されて４本のライン状の導通部７９が形成されている。そのうちの２本の導通部７９ａは、第３レンズ群室７４のＺマイナス側表面において第１開口部７６から外周側に向かって延び、延在部７５の内面に沿ってＺマイナス側に延び、さらにフランジ部７１を径方向外側に向かって延びている。
【００２４】
他の２本の導通部７９ｂは内側直進筒７０の延在部７５の内面においてＺ軸に沿って延びている。この２本の導通部７９ｂのＺプラス側端部は、それぞれ内側直進筒７０のＺプラス側端面に形成された２本の導通部７９ｃにそれぞれ接続されている。この２本の導通部７９ｃは、内側直進筒７０のＺプラス側端面においてそれぞれ径の異なる円弧状に形成され、図１〜図３に示すように、カム筒６０のＺプラス側端面を延びる２本の導通部６９Ａ，６９Ｂから延びる上述の２本のカム筒接片６６がそれぞれ接している。このように接片６６を用いることで、回転するカム筒６０のＺプラス側端面に設けられた導通部６９と、回転しない内側直進筒７０のＺプラス側端面に設けられた導通部７９とがカム筒６０の回転にかかわらず、接続されるようになっている。
【００２５】
図６に戻り、２本の導通部７９ｂは、第３レンズ群室７４が形成されている部分においては第３レンズ群室７４に設けられた第２開口部７４ａを通り、第２開口部７４ａよりもＺマイナス側においては、導通部７９ａと平行に４本並んで延びる。
【００２６】
この４本の導通部７９ａ，７９ｂは、フランジ部７１を外側に向かって延び、それぞれに対して上述の第１接片１６と同様に第２接片９０が固定されている。図１〜図３に示すように、４つの第２接片９０は固定筒３０の内面まで延びて４本の導通部３６とそれぞれ接触している。
【００２７】
第３レンズ群Ｌ３の被写体側には、シャッタ絞りユニット８３が設けられている。このシャッタ絞りユニット８３には、２つの第３接片８５が接続され、第３接片８５は、光軸Ａと略平行に像側に延び、第１開口部７６を貫通して第３レンズ群室７４の像側（Ｚマイナス側）の２本の導通部７９ａとそれぞれ接触している。
【００２８】
次に、レンズ鏡筒１の駆動時の動作について説明する。レンズ鏡筒１が図１に示す沈胴状態にある場合、第１レンズ群筒５０のカムフォロワピン５１はカム筒６０のカム溝６１の図５におけるＲｅで示す位置に挿入されている。図４に示すように、このとき、カムフォロワピン５１は導通部材で製造され、カムフォロワピン５１の突出部５１ｂの根元の部分は図４に示すようにカム溝６１の導通部６９の縁部６９ａ，６９ｂと接しているため、カム溝６１の導通部６９Ａと導通部６９Ｂとは電気的に接続される。
【００２９】
すなわち、メイン基板１４から第１接片１６、導通部３６、第２接片９０、導通部７９ｂ、導通部７９ｃ、カム筒接片６６を通して導通部６９Ａまで延びる第１の導通ラインと、メイン基板１４から他の第１接片１６、導通部３６、第２接片９０、導通部７９ｂ、導通部７９ｃ、カム筒接片６６を通して導通部６９Ｂまで延びる第２の導通ラインとが接続されることになる。メイン基板１４では常時、第１の導通ラインと第２の導通ラインとの導通状態を検出しており、導通部６９Ａと導通部６９Ｂとが導通状態ある場合は、正常な状態と判断される。
【００３０】
レンズ鏡筒１が沈胴状態から図２に示す撮影状態のワイド端に移行する際、カム筒６０は、図示しない駆動装置によって固定筒３０に対して光軸Ａ周りに回転駆動され、光軸Ａ方向被写体側に移動する。このとき外側直進筒４０及び内側直進筒７０は、光軸Ａ方向に直進する。また、第１レンズ群筒５０は、カム溝６１等によって光軸Ａ方向被写体側に繰り出される。
【００３１】
この移動の際、第２接片９０は、内側直進筒７０の固定筒３０に対する相対移動に伴い、導通部３６を光軸Ａ方向被写体側に向かって摺動する。カムフォロワピン５１はカム溝６１に沿って移動し、図５におけるＷの位置に移動する。このとき、導通部３６は固定筒３０の内周面上において、固定筒３０の被写体側端部から像側端部まで連続して形成されているため、沈胴状態からワイド状態への移動中においても、導通部３６と導通部６９との間の導通は確保されている。
【００３２】
ワイド状態からカム筒６０をさらに回転させると、外側直進筒４０、第１レンズ群筒５０、及び内側直進筒７０はさらに光軸Ａ方向被写体側に直進し、テレ状態となる。この移動においても、導通部３６と導通部６９との間の導通は確保されている。
【００３３】
ここで、レンズ鏡筒１がワイド状態、テレ状態へと繰り出す際に、例えばレンズ鏡筒１の先端が何かに衝突すると、レンズ鏡筒１には通常の動作時に加わる力と異なる大きな力が加わり、第１レンズ群筒５０がＺマイナス方向に押され、カムフォロワピン５１もＺマイナス方向に押される。モータはカム筒６０を図４において左方向に駆動しているので、カムフォロワピン５１が導通部６９Ｂ側に押され、レンズ鏡筒の各部が変形してカムフォロワピン５１が図４において右側にずれ、あるいは付加が大きい場合は右側にいくらか乗り上げ、導通部６９Ａとカムフォロワピン５１とが離間する。
【００３４】
これによって、メイン基板１４から第１接片１６、導通部３６、第２接片、導通部７９ｂ、導通部７９ｃ、カム筒接片６６を通して導通部６９Ａまで延びる第１の導通ラインと、ＣＰＵから他の第１接片１６、導通部３６、第２接片、導通部７９ｂ、導通部７９ｃ、カム筒接片６６を通して導通部６９Ｂまで延びる第２の導通ラインとが切断される。
【００３５】
この場合、レンズ鏡筒１に異常が発生したと判断し、ズーム中であればズーム動作を停止する。またズーム動作停止中であれば、撮影者がズーム動作を行うように操作してもズーム動作は行われない。液晶モニタ（図示せず）には、レンズ鏡筒に異常が発生している旨の警告が表示される。そして、外力が加わらなくなって、再度カメラの使用者がズーム操作を行った場合、カメラは再度ズームを行うことができる。
【００３６】
以上、本実施形態によると、以下の効果を有する。
（１）レンズ鏡筒１が繰り出す際に、レンズ鏡筒１に何か異常が発生し、カムフォロワピン５１がカム筒６０の溝部６１のいずれか一方に押されると、導通部６９Ａと導通部６９Ｂとの間の導通が切断される。導通部６９Ａと導通部６９Ｂとの間の導通状態はカメラのメイン基板１４上のＣＰＵによって監視されているので、異常が発生したことを即座に検知することができる。
（２）導通部６９Ａと導通部６９Ｂとの間の導通の切断が検知されると、ズーム中であればズーム動作を停止する。またズーム動作停止中であれば、撮影者が操作してもズーム動作は行われない。したがって、レンズ鏡筒に過度の負担がかかることがない。
（３）さらに、導通部６９Ａと導通部６９Ｂとの間の導通の切断が検知されると、例えば液晶モニタ（図示せず）に、レンズ鏡筒に異常が発生している旨の警告が出されるため、使用者は異常が発生していることを知ることができる。
（４）本実施形態によると、互いに相対移動する２部材間を、ＦＰＣを使用することなく電気的に接続することができ、ＦＰＣを使用することに伴う、収納用スペースの問題や、ＦＰＣの劣化による導通路の切断等の問題が生じない。
【００３７】
（変形形態）
以上、説明した実施形態に限定されることなく、以下に示すような種々の変形や変更が可能であり、それらも本発明の範囲内である。
【００３８】
（１）本実施形態では、レンズ鏡筒１に異常が発生した場合に、導通が切断される形態について説明したが、本発明はこれに限定されない。図７は本発明の変形形態における通常の接続状態を示した図である。図示するように、通常の状態では、カムフォロワピン５１’はカム筒６０’の第１溝部６１ａ’の側面と当接し、第２溝部６１ｂ’の側面とは当接していない。すなわち縁部６９ａ’，６９ｂ’とカムフォロワピン５１との間には隙間が存在し、正常な状態では導通部６９Ａ’と導通部６９Ｂ’とは非接触で非導通状態にある。この状態でレンズ鏡筒において、例えば前から衝撃を受ける等して異常が発生すると、カムフォロワピン５１’は６９ｂ’側に押されてカムフォロワピン５１’と６９ｂ’との間が接触し、導通部６９Ａ’又は導通部６９Ｂ’とカムフォロワピン５１’とが導通状態になる。この形態において、カムフォロワピン５１’とメイン基板１４とを接続し、一方、導通部６９Ａ’及び導通部６９Ｂ’もメイン基板１４と接続し、カムフォロワピン５１’と導通部６９Ａ’及び導通部６９Ｂ’との間の接続状態を検出することで、レンズ鏡筒の異常を検出することもできる。
【００３９】
（２）本実施形態では、導通部６９Ａと導通部６９Ｂとの間の導通状態が変化したときにズーム動作を停止し、且つモニタに警告を発する形態について説明したが、本発明はこれに限定されない。モニタに警告を出すだけにしてもよく、またズーム動作を停止するだけにすることもできる。また、警告を発した後、レンズ鏡筒１を例えば沈胴状態へ移動させる等のリセット動作を行うようにしてもよい。
（３）本実施形態では、移動部材間を接片を用いて接触するようにしたが、これに限定されず、例えばＦＰＣを用いて接続する構成としてもよい。
【００４０】
なお、実施形態及び変形形態は、適宜組み合わせて用いることもできるが、詳細な説明は省略する。また、本発明は以上説明した実施形態によって限定されることはない。
【図面の簡単な説明】
【００４１】
【図１】レンズ鏡筒の光軸を含む断面における側断面図であって、沈胴状態を示す図である。
【図２】レンズ鏡筒の光軸を含む断面における側断面図であって、ワイド状態を示す図である。
【図３】レンズ鏡筒の光軸を含む断面における側断面図であって、テレ状態を示す図である。
【図４】カムフォロワピンとカム筒との係合状態を示した図である。
【図５】カム筒に形成されたカム溝を示した図である。
【図６】本発明の変形形態におけるカムフォロワピンとカム筒との係合状態を示した図である。
【図７】本発明の変形形態における通常の接続状態を示した図である。
【符号の説明】
【００４２】
１：レンズ鏡筒、５０：第１レンズ群筒、５１：カムフォロワピン、６０：カム筒、６１：カム溝、６７：メッキが付き難い材料、６８：メッキ可能な材料、６９，６９Ａ，６９Ｂ：導通部
【図１】
2009282394.tif 000003
【図２】
2009282394.tif 000004
【図３】
2009282394.tif 000005
【図４】
2009282394.tif 000006
【図５】
2009282394.tif 000007
【図６】
2009282394.tif 000008
【図７】
2009282394.tif 000009